(57)【特許請求の範囲】
【請求項１】
ねじ込み式のキャップを有する容器のキャップを開けるのを補助するキャップオープナーであって、このキャップオープナーは、軟質の高摩擦材で形成された略環状のキャップオープナー本体と、このキャップオープナー本体を容器のキャップが貫通する貫通孔とから構成され、このキャップオープナーをペットボトルケースの口部に設け、容器のキャップをこのキャップオープナーの貫通孔に貫通させてこのキャップオープナーを容器の首部近傍に常時装着する構成であることを特徴とするキャップオープナー。 
【発明の詳細な説明】
【技術分野】
【０００１】
この発明は、ペットボトル等のねじ込み式のキャップを有する容器のキャップを開けるのを補助するキャップオープナーに関する。
【背景技術】
【０００２】
従来、ねじ込み式のキャップを有するペットボトル等の容器のキャップは、液漏れを防止する為に一定以上の強さで締め付ける必要があった。しかし、こうするとキャップが開け難くなるので、特許文献１、特許文献２等のキャップオープナーが開示されてきた。
【先行技術文献】
【特許文献】
【０００３】
【特許文献１】特開２０１２−１２１５７６
【特許文献２】特開２０１１−１２６５８２
【発明の概要】
【発明が解決しようとする課題】
【０００４】
しかしながら、これらのキャップオープナーは、容器とは別体になっており、次のような問題があった。
【０００５】
１）キャップオープナーを容器と別に保管する為、紛失したりして探すのに手間取ったりする。
２）非使用時にキャップオープナーがテーブル上や引き出しの中等でゴロゴロして邪魔になる。
３）使用時にその都度次の操作が必要で手間がかかる。
A）引き出しやバッグからキャップホルダーを取り出す。
B)キャップにキャップオープナーを被せる。
Ｃ）キャップを回して開ける。
【課題を解決するための手段】
【０００６】
ねじ込み式のキャップを有する容器のキャップを開けるのを補助するキャップオープナーであって、このキャップオープナーは、軟質の高摩擦材で形成された略環状のキャップオープナー本体と、このキャップオープナー本体を容器のキャップが貫通する貫通孔とから構成され、容器のキャップをこのキャップオープナーの貫通孔に貫通させてこのキャップオープナーを容器の首部近傍に常時装着する構成であることを特徴とするキャップオープナーである。
【発明の効果】
【０００７】
上記の問題点を解決し、紛失し難く、邪魔にならず操作の簡単なキャップオープナーを提供することができる。
【図面の簡単な説明】
【０００８】
【図１】第一の実施例のキャップオープナーを示す斜視図である。
【図２】図１のDD断面を示す断面図である。Eは自然状態を、Fは反転状態を示す。
【図３】第一の実施例のキャップオープナーをペットボトルの首部に装着した状態を示す斜視図である。
【図４】第一の実施例のキャップオープナーをペットボトルの首部に装着し、上方に反転させた状態を示す斜視図である。
【図５】第一の実施例のキャップオープナーをペットボトルの首部に装着し、上方に反転させ、手で掴んでキャップを回す状態を示す斜視図である。
【図６】第二の実施例のキャップオープナーをペットボトルケースに組み込んだ状態を示す斜視図である。
【図７】第二の実施例のキャップオープナーを組み込んだペットボトルケースにペットボトルを挿入した状体を示す斜視図である。
【図８】第二の実施例のキャップオープナーを組み込んだペットボトルケースにペットボトルを挿入し、ペットボトルケースの口を閉めた状体を示す斜視図である。
【図９】第二の実施例のキャップオープナーを組み込んだペットボトルケースを示す図６のAA視の上部の断面を示す断面図である。
【図１０】第三の実施例のキャップオープナーを組み込んだペットボトルケースを示す断面図である。
【図１１】Aは第四の実施例のキャップオープナーを組み込んだペットボトルケースの上部の断面図である。Bはその正面図である。
【図１２】第四の実施例のキャップオープナーを組み込んだペットボトルケースにペットボトルを収容して、ペットボトルケースの口を閉めた状態を示す斜視図である。
【図１３】第四の実施例のキャップオープナーを組み込んだペットボトルケースにペットボトルを収容して、ペットボトルケースの口を閉め、キャップオープナーを立てた状態を示す斜視図である。
【図１４】摩擦係数の測定方法を示す。
【図１５】第一の実施例のキャップオープナーの外形を明確に表示する正面図、背面図、左側面図、右側面図、平面図、底面図である。
【発明を実施するための形態】
【０００９】
ねじ込み式のキャップを有する容器のキャップを開けるのを補助するキャップオープナーであって、このキャップオープナーは、軟質の高摩擦材で形成された略環状のキャップオープナー本体と、このキャップオープナー本体を容器のキャップが貫通する貫通孔とから構成され、容器のキャップをこのキャップオープナーの貫通孔に貫通させてこのキャップオープナーを容器の首部近傍に常時装着する構成であることを特徴とするキャップオープナーである。
【００１０】
上記の環状のキャップオープナー本体の一端は容器の首部との結合端とし、他端は自由端としたことを特徴とするキャップオープナーである。
上記のキャップオープナー本体を円錐状としたことを特徴とするキャップオープナーである。
上記のキャップオープナーをペットボトルケースの口部に設けたことを特徴とするキャップオープナーである。
【実施例】
【００１１】
図１の第一の実施例のキャップオープナー１０は、可撓性があり軟質で高摩擦の材料からなるシートで形成されている。キャップオープナー１０は、略円錐状のキャップオープナー本体３０と、キャップオープナー本体３０の中央を貫通する円形の貫通孔３３とから構成されている。環状のキャップオープナー本体３０の内側は結合端３１と、外側は自由端３２となっている。
【００１２】
キャップオープナー１０は、高摩擦材をシート状にして、形成されている。高摩擦材は天然ゴム、合成ゴム、シリコンゴム、ウレタンゴム、エラストマー、塩化ビニールまたはポリエステル等の軟質の合成樹脂等の高摩擦材料をシート状又は織布状にして形成してあり、滑り止め加工を施してもよい。
【００１３】
滑り止め加工は機械発泡又は熱発泡によるミクロン単位の気泡や表面の凹凸等が挙げられる。例えば、熱発泡は１０から２０μのマイクロカプセルに発泡剤を封入して基材の中に混入させて１２０度Cに加熱する方法がある。
【００１４】
滑り止め加工の他の方法としては、微小の凹部を設けて吸盤作用をさせたり、微小の突起を設けたりして、かかりを良くする方法をとっても良い。又、繊維の表面を傾斜起毛させて一方向に摩擦抵抗を大きくしたものでも良いし、高摩擦の塗料を塗布しても良い。
【００１５】
図２の断面図に示すように、キャップオープナー１０は自然状態はEのように上に凸であるが、Fのように下に凸となるよう反転可能である。
【００１６】
図３のように、ペットボトル４０のキャップ４１をキャップオープナー１０の貫通孔３３に完全に貫通させて、キャップオープナー１０をペットボトル４０の首部４２に常時装着させることができる。結合端３１の直径はキャップ４１の直径よりやや小さく、又ペットボトル４０の首部４２の直径はキャップ４１の直径より小さい。キャップオープナー１０は弾力性があるので、キャップ４１を貫通させて、ペットボトル４０の首部４２に安定的に装着することができる。
【００１７】
さらに、キャップオープナー１０は自然状態で上に凸の円錐形状になっているので、ペットボトル４０の首部から肩に沿って装着される為、外方に突出せず邪魔にならない。
【００１８】
図４のように、キャップオープナー１０は上方に反転させることができる。この状態で、キャップオープナー１０を掴むと、図５のようにキャップオープナー１０をキャップ４１周りに押圧し、キャップ４１を回転させることができる。キャップオープナー１０の摩擦係数は十分大きいのでスリップし難く、キャップ４１を容易に弛めることができる。
【００１９】
図６は第二の実施例であり、キャップオープナー１０をペットボトルケース２０に組み込んだものである。円筒状のキャップオープナー１０が、ペットボトルケース２０の開口部２２の内側に取り付けられている。この発明で、ペットボトルとはPETだけでなく、他の材質の容器も含むものとする。
【００２０】
ペットボトルケース２０は、織布・ニット、あるいはプラスチック等の可撓性のシートで構成され、内側に保温や保冷の為のアルミ等の断熱層が設けられることもある。締付紐２１も繊維、プラスチック等の可撓性の材料を紐状にしたものであり、ペットボトル４０を収納して開口部２２を閉じるものである。
【００２１】
図７のようにペットボトル４０が挿入され、図８のように締付紐２１を引いて開口部２２が閉じられる。キャップオープナー１０は、キャップ４１を囲んで閉じられるので、キャップオープナー１０の外周を握って回すと高摩擦材の作用によりキャップ４１を容易に回転させて開けることができる。  
【００２２】
図９は図６のAA断面であり、高摩擦材を開口部２２の内側のみ設けたものである。図１０は第三の実施例で高摩擦材を内外の両側に設けたものであり、外側の滑りも軽減する効果がある。第二の実施例と第三の実施例では、ペットボトル４０の外径に対し、ペットボトルケース２０の内径に余裕を持たせてある場合に有効である。
【００２３】
図１１は第四の実施例であり、キャップオープナー１０の高摩擦材を開口部２２の外周のみに設けたものである。上端部を結合端３１としペットボトルケース２０とキャップオープナー１０が結合され、下端部を自由端３２としている。
【００２４】
図１２は、ペットボトルケース２０にペットボトル４０が挿入され、キャップ４１が露出するよう締付紐２１により開口部２２が閉じられた状態である。この状態で、キャップオープナー１０は、外方に突出せず邪魔にならない。
図１３は、キャップオープナー１０を起こしてキャップ４１を覆った状態を示し、この状態でキャップオープナー１０を握って回し、キャップ４１を弛めることができる。
【００２５】
この実施例では、キャップオープナー１０が外側にあり、内側には高摩擦材が無いので、ペットボトル４０の挿入時にキャップオープナー１０に引っかかることがない。又、図１２の状態のままキャップ４１を開けて飲み物を飲むことができ、キャップオープナー１０が邪魔になることがない。
【００２６】
このように、この発明では、キャップオープナー１０を非使用時、使用時を問わず、ペットボトルの首部４２に常時装着しておけるので邪魔にならないし、紛失し難い利点がある。すなわち、飲用時であっても、キャップオープナー１０をペットボトル４０の首部４２からはずず必要がなく、装着したままでよいので、その都度キャップオープナー１０を探してキャップ４１に被せるという操作を省略することできる。
【００２７】
高摩擦材の摩擦係数を図１４の方法で測定し、その評価結果を表１に示す。この結果、高摩擦材の摩擦係数μは０．５３以上が小さいが効果があって有効であり、０．６８以上が効果があり望ましいことが解った。
【表１】
0006346213.tif 000002
【産業上の利用可能性】
【００２８】
この発明のキャップオープナーは、ペットボトルに限らず、ねじ込み式のキャップを有する容器に利用が可能である。
【符号の説明】
【００２９】
１０はキャップオープナー
２０はペットボトルケース
２１は締付紐
３０はキャップオープナー本体
３１は結合端
３２は自由端
３３は貫通孔
４０はペットボトル
４１はキャップ
４２は首部
５０は手
【図１】
0006346213.tif 000003
【図２】
0006346213.tif 000004
【図３】
0006346213.tif 000005
【図４】
0006346213.tif 000006
【図５】
0006346213.tif 000007
【図６】
0006346213.tif 000008
【図７】
0006346213.tif 000009
【図８】
0006346213.tif 000010
【図９】
0006346213.tif 000011
【図１０】
0006346213.tif 000012
【図１１】
0006346213.tif 000013
【図１２】
0006346213.tif 000014
【図１３】
0006346213.tif 000015
【図１４】
0006346213.tif 000016
【図１５】
0006346213.tif 000017